(57)【特許請求の範囲】
【請求項１】
第１ランプ光によりカラーレンズ色表示する表示装置であって、裏面に記号や文字等の意匠を有する間接照明用の光導板がカラーレンズの上部に配置され、前記第１ランプが発光していない時、前記光導板の一部に第２ランプ光が投射されることで、前記光導板内を伝わった光により前記光導板裏面の前記意匠が照射表示される表示機能を備えた表示装置において、
前記光導板の表面の一部に透過性・拡散反射性機能を有する青色膜を形成し、前記第２ランプからの光を前記青色膜で色調変更させ、前記光導板内に拡散反射させることで、前記意匠の色調変更表示を行うことを特徴とする色調変更機能を備えた表示装置。
【発明の詳細な説明】
【０００１】
【発明の属する技術分野】
本発明は、記号や文字等の意匠が形成された間接照明用の導光板の裏面側からランプ光によりカラーレンズを介して透過照明されることでカラーレンズ色表示する表示装置であって、詳しくはランプが発光していない時、隣接する別のランプからの光を色調変更して導光板内に投射される色調変更機能を備えた表示装置に関する。
【０００２】
【従来の技術】
従来から記号や文字等の意匠が形成された間接照明用の導光板の裏面側からランプ光によりカラーレンズを介して透過照明されることでカラーレンズ色表示して、ランプが発光していない時、隣接する別のランプ光からの光を色調変更して導光板内に投射される色調変更機能を備えた表示装置に関しては種々なものが知られている。例えば、図３に示したような車両等のパネル内に設けられたシフトレバー位置を示す表示装置は、ケース３２上に不透過性の意匠３４を裏面に印刷等により形成した間接照明用の導光板３３が設置されている。
【０００３】
ところで、ランプ光は特性上、黄色光であるので目が疲れて視認しずらくなってくる。この対策として、第２ランプ３６に青色シリコンキャップを被せて導光板３３の内側から青色光を照射して導光板３３内に青色光を導き、第１ランプ３５光の色調を変更しようとする表示装置がある。しかし、この表示装置では、青色光が他の部分に影響したり、光源からの遠近によって照明ムラができたり、シリコンキャップ分コストアップするという問題があった。
【０００４】
そこで、図４に示すように導光板３３裏面の透過照明色のカラーレンズ３９下方のケース３２底壁に設けられた第１ランプ３５が発光していない時、隣接した第２ランプ３６の光が導光板３３裏面に印刷された透過用青色膜３７と、導光板３３表面に印刷された隠蔽度の高い反射用青色膜３８とが設けられた色調変更機能を備えた表示装置３１が提案されている。
【０００５】
この表示装置３１は、反射用青色膜３８に反射された第２ランプ３６光が導光板内３３に投射され、意匠３４に照射されることにより色調変更表示が行われる。
【０００６】
即ち、上記構成の色調変更機能を備えた表示装置３１においては、第２ランプ３６光は黄色光であるが、透過用青色膜３７を透過して導光板３３に入る時に青色光になる。そして、反射用青色膜３８で反射されて導光板３３裏面に印刷された意匠３４に照射されることで、該意匠は第２ランプ３５の黄色光を導光板３３内で色調変更された青色系に表示される。
【０００７】
【発明が解決しようとする課題】
しかしながら、上記従来の色調変更機能を備えた表示装置３１においては、透過用青色膜３７を透過するために照明輝度の低下が大きく、光の拡散性が弱いために照明ムラになり易いという問題があった。
また、導光板３３には意匠３４の他に透過用青色膜３７と反射用青色膜３８の２工程の印刷をしなければならないのでコストアップにつながるという問題があった。
【０００８】
本発明の課題は、上記問題点に鑑みてなされたものであり、照明輝度の低下や照明ムラ及びコストアップを同時に改善しつつ、色調変更を可能にした色調変更機能を備えた表示装置を提供することである。
【０００９】
【課題を解決するための手段】
本発明に係わる上記課題は、第１ランプ光によりカラーレンズ色表示する表示装置であって、裏面に記号や文字等の意匠を有する間接照明用の光導板がカラーレンズの上部に配置され、前記第１ランプが発光していない時、前記光導板の一部に第２ランプ光が投射されることで、前記光導板内を伝わった光により前記光導板裏面の前記意匠が照射表示される表示機能を備えた表示装置において、
前記光導板の表面の一部に透過性・拡散反射性機能を有する青色膜を形成し、前記第２ランプからの光を前記青色膜で色調変更させて、前記光導板内に拡散反射させることで、前記意匠の色調変更表示を行うことを特徴とする色調変更機能を備えた表示装置によって解決することができる。
【００１０】
上記構成の色調変更機能を備えた表示装置によれば、光導板の表面の一部に透過性・拡散反射性機能を有する青色膜を形成し、第２ランプからの光を色調変更させて光導板内に拡散反射させるので、第２ランプからの光は直接導光板内に投射されて青色膜で拡散反射されるときでも照明輝度の低下が少なく青色系に色調変更される。
また、第２ランプからの光は透過性青色膜内を往復するため、色調変更が効率良く行われ、この青色膜の特性により光を反射する際、青色光が効率よく導光板内に拡散され、照明ムラ等を起こさないので、表示装置の性能及び信頼性を向上させることができる。
また、導光板には意匠の他には青色膜を形成するだけなので、製造コストの低減を図ることができる。
【００１１】
【発明の実施の形態】
以下、本発明の色調変更機能を備えた表示装置の一実施形態を図１及び図２に基づいて詳細に説明する。図１は本発明の色調変更機能を備えた表示装置の一実施形態を示す作動説明図、図２は図１における青色膜の拡大図である。
図１に示すように色調変更機能を備えた表示装置１は、ケース２上に不透過性の意匠４が裏面に印刷された間接照明用の導光板３がカラーレンズ９の上部に配置されており、この導光板３の表面の適宜な位置に透過性・拡散反射性機能を有する色調変更用の反射用青色膜８が設けられている。
【００１２】
上記表示装置１は、導光板３の裏面側からケース２底壁に設けられた第１ランプ５に隣接した第２ランプ６光が導光板３内に投射されると、図２に示すように第２ランプ６光は導光板３表面に印刷された拡散度の高い反射用青色膜８により色調変更され、再び導光板内３に反射拡散されることにより意匠４の色調変更表示が行われる。
さらに詳しくは、反射用青色膜８は、表面に艶消し加工を施した青色クリアー層から成り、導光板３の表面上の所定位置に印刷工法により形成され、色調変更された第２ランプ６光を導光板３裏面の意匠４方向に拡散反射させるようになっている。
【００１３】
上記構成の色調変更機能を備えた表示装置１においては、導光板３表面に拡散度の高い反射用青色膜８が印刷形成されているので、黄色系の第２ランプ６光は導光板３内に投射され反射用青色膜８で拡散反射されるとき青色クリアー層で色調変更され青色光になる。そして、反射用青色膜８で拡散反射された青色光は導光板３裏面の意匠４を青色系に色調変更表示させる。
【００１４】
上述した構成の本実施形態の色調変更機能を備えた表示装置１によれば、第２ランプ６光は直接導光板３内に投射されて反射用青色膜８で反射されるときに青色系に色調変更されるだけであるから照明輝度の低下が少ない。
また、第２ランプ６光が反射用青色膜８表面の艶消し青色クリアー層を往復して、青色光が効率良く導光板３内に拡散される。従って、照明ムラが起こるようなことはないので、表示装置の性能向上とともに信頼性の向上を図ることができる。また、導光板３には意匠４の他には反射用青色膜８を印刷形成するだけで良いので、製造コストの低減を図ることができる。
【００１５】
なお、本発明は上述した実施形態に限定されるものでなく、適宜な変更を行うことにより他の形態でも実施することができる。例えば、本実施形態では第１ランプ５と第２ランプ６は個々の意匠に対応して収容されていたが、第２ランプ６は必ずしも収容される必要はなく、他の意匠と共通であっても良い。
従って、第２ランプ６の数量は必ずしも第１ランプ５の数量に対応させなくても良い。この場合、導光板３は常時青色系に輝いており、第１ランプ５が点灯された意匠のみが強く輝くことになる。
【００１６】
【発明の効果】
以上説明したように本発明の色調変更機能を備えた表示装置によれば、光導板の表面の一部に透過性・拡散反射性機能を有する青色膜を形成し、第２ランプからの光を青色膜で色調変更させて、光導板内に拡散反射させることで、意匠の色調変更表示を行うので、第２ランプ光は直接導光板内に投射されて青色膜で反射されるときに色調変更されるから照明輝度の低下は少ない。
【００１７】
また、第２ランプ光が透過性青色膜内を往復するため、色調変更が効率良く行われ、この青色膜の特性により光を反射する際、青色光が効率良く導光板内に拡散されるので照明ムラを起こすようなことはなく、表示装置の性能向上とともに信頼性の向上を図ることができる。
更に、導光板には意匠の他には青色膜を形成するだけでよいので、製造コストの低減を図ることができる。
【図面の簡単な説明】
【図１】本発明の色調変更機能を備えた表示装置の一実施形態を示す作動説明図である。
【図２】図１における青色膜の拡大図である。
【図３】車両等のパネル内に設けられたシフトレバー位置を示す意匠文字の平面図である。
【図４】図３におけるＡーＡ断面の作動説明図である。
【符号の説明】
１  色調変更機能を備えた表示装置
３  導光板
４  意匠
５  第１ランプ
６  第２ランプ
８  反射用青膜
【図１】
0003654495.tif 000002
【図２】
0003654495.tif 000003
【図３】
0003654495.tif 000004
【図４】
0003654495.tif 000005